Podtech/llm-jp-corpus-v4-ja_patent huggingface dataset:
(57)【要約】【課題】洗濯物をかごから取り出して干す時に，手元の高さで洗濯物を取り出すことができる洗濯物かごを提供する。【解決手段】洗濯物を入れる内かごと足の役目を果たす外かごのスライド式二重構造にし，内かごに付いた突起状ボタンを外かごについた高さの異なる横溝に引っかけて固定することで高さを変えることのできる洗濯物用具。【選択図】図１
2005334608.tif 000002
【特許請求の範囲】
【請求項１】
洗濯物を入れる内かごとそれを支えて足の役割を果たす外かごのスライド式二重構造で，内かごに付いた突起状ボタンを外かごに付いている溝に引っかけて固定させることで，高さを変えて使用することを特徴とする洗濯物用具。
【発明の詳細な説明】
【技術分野】
【０００１】  本発明は，二重構造のかごを用途に応じてスライドさせて異なる高さで使用することができるの洗濯ものかご用品に関するものである。
【背景技術】
【０００２】  従来，洗濯物かごは網目で軽く，持ち運びやすく室内外で使用できるものだった。
【発明の開示】
【発明が解決しようとする課題】
【０００３】  そのために，次のような問題点があった。
どこへでも持ち運んで使用できるが，床や地面に直接置いて使用するので，洗濯物を取り出すには腰を下ろしたり体を折り曲げなければならない。干し竿は上部にあるので上下運動が激しく，足腰の弱い人や妊婦には大変な作業であった。
本発明は，これらの問題を解決するためになされたものである。
【課題を解決するための手段】
【０００４】  かごを二重構造にし，内かごと外かごがスライドできるようにする。外かごのすそを足で押さえ，内かごに洗濯物を入れたまま引っ張り上げてスライドさせる。内かごに付いた突起状のボタンを外かごについている溝に引っかけて止め，固定する。外かごが内かごを支え，足の役目を果たし内かごの位置が高くなる。
【発明の効果】
【０００５】  本発明は，高い位置で洗濯物ををかごから出し入れできるので，腰の曲げ伸ばしの運動量が減り，足腰の腰の弱い人や妊婦でもらくに洗濯物を干すことができる。
【発明を実施するための最良の形態】
【０００６】以下，本発明の実施の形態について説明する。
（イ）外かご（１）の内側に，内径を外かご（１）よりやや小さくした内かご（２）を出      し入れ自在に，２重構造にして設ける。
（ロ）外かご（１）の下部の外側につば部（７）を設ける。
（ハ）内かご（２）の上部に取っ手（４）を設け，下部の外側に突起状ボタン（３）を設      ける。
（ニ）外かご（１）の側面に縦長状の縦溝（５）を貫通して設け，縦溝（５）の片側縁に      複数の横溝（６）を並列して設ける。
（ホ）突起状ボタン（３）は縦溝（５）及び横溝（６）に貫通して，縦溝（５）を上下に      移動し，また横溝（６）にかかるようにする。
本発明は以上のような構成で，これを使用するときは，外かご（１）のつば部（７）を足で踏んで押さえ，内かご（２）に付いている取っ手（４）を持って上に引っ張り上げる。丁度良い高さの  横溝（６）に突起状ボタン（３）をはめて固定させる。
横溝（６）は一番下，真ん中，一番上の三ヶ所に付ける。一番下の横溝（６）にはめておけば一番低い状態及び小さい状態で保管しておける。あとは干し場所の状態に応じて真ん中や一番上の横溝に固定させ，高い位置でかごを使用できる。
かごが軽くて丈夫な素材であることと，内かごと外かごがスムーズにスライドすればより効果が期待できる。
【図面の簡単な説明】
【０００７】
【図１】本発明の分解斜視図
【図２】本発明の内かごの側面図
【図３】本発明の使用状態を示す斜視図
【図４】本発明の使用状態を示す斜視図
【符号の説明】
【０００８】    １  外かご
２  内かご
３  突起状ボタン
４  取っ手
５  縦溝
６  横溝掛け部
７  つば部
【図１】
2005334608.tif 000003
【図２】
2005334608.tif 000004
【図３】
2005334608.tif 000005
【図４】
2005334608.tif 000006
(57)【要約】【課題】爪先部分の立ち上がった健康サンダル等の履き物に用いる覆いの形状は足が不安定で歩行しづらかった。また、傾斜が急すぎるため、腰に負担がかかり、腰痛の原因となり、長時間履くには向かず、あまり活用できなかった。【解決手段】甲の覆い５を鼻緒１に変更。足を載せる台座２を土踏まずまでの長さとする。中底３の厚みは爪先部を５ｃｍ程、最後部を０．７ｃｍ程とし、弾力性のあるスポンジ材を使用する。【選択図】図１
2005334606.tif 000002
【特許請求の範囲】
【請求項１】
爪先部を立ち上げたサンダルにフェルト材の鼻緒を付けたことを特徴とする健康サンダル。
【請求項２】
足を載せる台座は一般サンダルの約３分の２の長さで表面に小突起を付加することを特徴とする請求項１記載の健康サンダル。
【発明の詳細な説明】
【技術分野】
【０００１】  この発明は、サンダル等の履物に付加した鼻緒、爪先部分を立ち上げ、足を載せる台座を短くしたサンダルの形状に関する。
【背景技術】
【０００２】  従来の爪先部分立ち上げた健康サンダル等の履き物の形状は、図２に示すように、足を載せる台座２に足の甲を覆う５が設けられたものであり、かなり底が厚くなっている。
【発明の開示】
【発明が解決しようとする課題】
【０００３】しかしながら、以上の技術によれば、底が厚く、傾斜が急なため足の甲を覆うだけの支えでは足が、不安定勝つ、猫背になり、腰痛が起こりやすかった。
そこで、この発明は、台座の爪先部に鼻緒をつけた。鼻緒で足指を挟むことにより、足指を正常に保持、つま先部分が立ち上がっていても安定する。且つ、鼻緒部分をフェルト材にする事により、指を挟んだときの痛みをなくした。また足を載せる台座を短くすることにより、下半身のストレッチができる健康サンダルを提供することを課題とする。
【課題を解決するための手段】
【０００４】  以上の課題を解決するために、第一発明は、足を載せる台座にフェルト材の鼻緒をつけたことを特徴とする爪先部分の立ち上がった健康サンダルである。
また、第二発明は、足を載せる台座を短くし小突起をつけたことを特徴とする健康サンダルである。
【発明の効果】
【０００５】  第一発明によれば、鼻緒を設けたことにより足元が安定。腰に負担をかけない。また、鼻緒を指で挟む事によりからだの歪みがよくなり、肩こり、頭痛などが解消される。
第二発明によれば、アキレス腱、ふくらはぎ、太もものストレッチ、シェイップアップ効果が得られる。
【発明を実施するための最良の形態】
【０００６】  この発明の一、二の実施形態を、図１に示す。
健康サンダルの鼻緒部分１は、フェルト材を使用。足を載せる台座２はゴム製のもので小突起を付加する。中底３には、弾力のあるスポンジを使用。裏底４はＥＶＡ材使用。尚、つま先先端部の底の厚みを５ｃｍ程、土踏まずのあたりを最後部とし、厚みを０．７ｃｍ程とする。【０００７】「実施形態の効果」
この実施形態によれば、鼻緒１の働きで足指を正常に保持する事ができ、健康増進効果がある。中底の傾斜により、アキレス腱、ふくらはぎ、太ももの筋肉を鍛える事ができる。さらに１から４までを総合し、自然に正しい姿勢での歩行が可能になる。【０００８】「他の実施形態」
１、図１の実施形態では、底は爪先から土踏まずの部分まで傾斜があったが、他の実施形態では、傾斜のない、高さ５ｃｍ程のものでも良い。
２、図１の実施形態では、足を載せる台座はゴム製ではなく、い草でも良い。
【図面の簡単な説明】
【０００９】
【図１】この発明の一、二の実施形態を示す斜視図である。
【図２】従来技術を示す斜視図である。
【符号の説明】
【００１０】１  鼻緒            ２  足を載せる台座
３中底              ４  裏底            ５  甲の覆い
【図１】
2005334606.tif 000003
【図２】
2005334606.tif 000004
(57)【要約】【課題】サッカーの試合において、シュートしたボールが移動式サッカーゴールの支持枠の縦の部分に当り跳ね返ってゴールより飛び出した時、誤審によりノーゴールとなる事があった。ボールが当って跳ね返る事を無くすと同時に強度も確保する。【解決手段】移動式サッカーゴールの支持枠１１の縦の部分を支持柱８として独立させ容易に着脱できる機構を持たせる。【選択図】      図２
2005334607.tif 000002
【特許請求の範囲】
【請求項１】
移動式サッカーゴールの支持枠の構成方法であって、サッカーゴールの側面の上パイプ及び側面のベースパイプに着脱可能に支持柱を設けたことを特長とするサッカーゴール
【請求項２】
移動式サッカーゴールの側面の上パイプと側面のベースパイプの後方に設けられた軸に滑らかに嵌合してなる着脱容易な支持柱を取付けた事を特長とするサッカーゴール
【発明の詳細な説明】
【技術分野】
【０００１】本発明は移動式サッカーゴールにおける支持枠の縦の部分を着脱式にし、必要に応じて容易に取り付け取り外しが出来る事を特長としている。
【背景技術】
【０００２】従来、移動式サッカーゴールの支持枠１１は図４の様に、上パイプと後縦パイプを一体としてゴールポスト２とベースパイプ３に接続して構成されていた。その為、シュートしたボールが後縦パイプに当って跳ね返って飛び出しノーゴールとなる誤審があり、問題になった。
【発明の開示】
【発明が解決しようとする課題】
【０００３】シュートしたボールが跳ね返って飛び出さない為には後縦パイプ部を省く事が考えられる。しかし、移動式サッカーゴールは学校の校庭や運動公園等に常に設置されていることが多い為、人がぶら下がったり、いたずらしたりして強度と安全性の点で危険が生じる。これに対する強度を確保すれば重量が増し、価格も上昇する。重量が増すと危険も増し、移動させる為の労力も大きくなる。
【課題を解決する為の手段】
【０００４】支持枠１１の縦パイプ部を脱着可能に独立して支持柱８として設ける。支持柱８は簡単に取り付け取り外し可能とする。
【発明の効果】
【０００５】正式の試合や必要とされる試合において支持柱８を取り外して行う事により、当って跳ね返ることが無くなり誤審を防ぐ事ができる。練習中や練習試合中、あるいは使用していない時には支持柱８を取り付けておく事により、強度と安全性が確保できる。特に使用していない時には抜け止メピン９に施錠する等の処置を施すことによって、不特定の人のいたずら等によるトラブルを防ぐ事が出来る。グランドによっては他のスポーツと兼用しているところも多い。この場合、移動式サッカーゴールは移動が日常的に行われるので、この間のトラブルを防ぐために非常に有用である。
【発明を実施するための最良の形態】
【実施例１】
【０００６】移動式サッカーゴールの側面のベースパイプ３及び上パイプ５の後方にベースパイプ軸６及び上パイプ軸７を平行に設ける。支持柱８にはベースパイプ軸６及び上パイプ軸７に滑らかに嵌合する穴部分を設ける。支持柱８をベースパイプ軸６、上パイプ軸７に嵌合させた時、図３の様に貫通の抜け止めピンを設置する。
【実施例２】実施例１中で、穴を軸に、軸を穴にする例も良い形態である。
【図面の簡単な説明】
【０００８】
【図１】  本発明の移動式サッカーゴールの図である。
【図２】  側面図である。
【図３】  Ａ部拡大図である。Ｂ部はＡ部と同じ機構の為、共用とする。
【図４】  従来の移動式サッカーゴールの側面図である。
【符号の説明】
【０００９】  １．クロスバー
２．ゴールポスト
３．ベースパイプ
４．後ベースパイプ
５．上パイプ
６．ベースパイプ軸
７．上パイプ軸
８．支持柱
９．止めピン
１０．ワイヤー
１１．支持枠
【図１】
2005334607.tif 000003
【図２】
2005334607.tif 000004
【図３】
2005334607.tif 000005
【図４】
2005334607.tif 000006
(57)【要約】      （修正有）【課題】▲１▼靴をはいたまま水の中に入ると靴の中に水が溜り足を動かしにくくなっている事をなくすようにする目的である。▲２▼靴をはいたままで水の中を容易に泳ぐようにする目的である。【解決手段】▲１▼靴に穴を明けて靴の中へ水が溜らないようにした。▲２▼靴に横ヒレ、を付けて水を蹴って進めるようにした。【選択図】図１
2005334615.tif 000002
【特許請求の範囲】
【請求項１】
▲１▼靴に穴を明ける
▲２▼靴に横ヒレ、を付ける
【発明の詳細な説明】
【発明の詳細な説明】
【０００１】〔発明の属する分野〕
▲１▼この発明は靴に穴を明けて水の中に入っても水が靴の中に残らないようにして海、や川、などに靴をはいたままで入れるようにしたものである。
▲２▼靴に横ヒレ、を付ける事によって泳ぐ時に足で推進力を付けるようにしたものである。
【０００２】〔従来の技術〕
従来の靴ははいたまま水の中へ入ると靴の中に水が入り重くなって歩きにくくなっていた。
【０００３】〔発明が解決しようとする課題〕
本発明はその欠点をなくすために水の中に入っても靴の中に水が残らないようにする事を課題として研究をすすめた。
【０００４】〔課題を解決するための手段〕
靴の中に水が残らないようにするために靴の強度を保てる範囲で穴を明けて水がスムーズに出入りできるようにする事が最上である事を発見した。
【０００５】〔発明の効果〕
▲１▼本発明は以上のような構成だから靴の中に水が残らないようになって靴をはいたまま陸地、水の中え入っても足を自由に動かす事が出きる。
▲２▼横ヒレを付ける事によって、泳ぐ時などに足のケリで水を多くつかんで推進力が増す。
【図面の簡単な説明】〔図１〕本発明の斜視図
〔図２〕本発明の側面図
〔図３〕本発明の正面図
〔図４〕本発明の平面図
〔図５〕本発明の底面図
【図１】
2005334615.tif 000003
【図２】
2005334615.tif 000004
【図３】
2005334615.tif 000005
【図４】
2005334615.tif 000006
【図５】
2005334615.tif 000007
(57)【要約】【課題】歯科技工において、切削作業の時に生ずる集塵機のフィルターの目詰まり及び集塵機からの排気による室内の汚染の解消をするための除塵装置を提供する。【解決手段】水槽と蓋からなる密閉容器の中に粉塵を通す事によって、粉塵を除去するようにする。【選択図】図２
2005334611.tif 000002
【特許請求の範囲】
【請求項１】
粉塵の吸口と集塵機の間に水を用いて、粉塵を取り除く事を特徴とする歯科技工用除塵装置。
【請求項２】
前記除塵装置は、粉塵と水を撹拌するボックスと、水と空気を分離するフィルターを特徴とする請求項１記載の歯科技工用除塵装置。
【発明の詳細な説明】
【技術分野】
【０００１】  この発明は、歯科技工等の作業工程で出る粉塵を水を用いて除去する装置である。
【背景技術】
【０００２】  従来、歯科技工集塵機は紙などの乾式のフィルターが多く使用されている。
【発明の開示】
【発明が解決しようとする課題】
【０００３】  しかしながら、以上の技術によれば、フィルターが直ぐ目詰まりし、排気からは細かな粉塵が排出される。そこで、この発明はフィルターの目詰まりと排気の浄化を提供する事を課題とする。
【課題を解決するための手段】
【０００４】  以上の課題を解決するために、本体（１）と蓋（２）からなる密閉容器があって、水（５）は外部から内部が目視出来る。蓋（２）の上部に吸口から連結する長いパイプ（３）と集塵機に連結する短いパイプ（４）を取り付け、長いパイプ（３）の先は、水に粉塵を撹拌するボックス（６）の中に入れ、そのボックス（６）に空気と水を分離するフィルター（７）を取り付けるのを特徴とする、除塵装置である。
【発明の効果】
【０００５】  粉塵を水（５）で捕獲するので、集塵機のフィルターは目詰まりし難く、排気中に石膏、樹脂、金属の微粉末が混入しない。
本体（１）が透明であるため水（５）の替える時期が解かりやすい。
【発明を実施するための最良の形態】
【０００６】  この発明の一実施形態を、図２に示す。
本体（１）と蓋（２）の上部に吸入口（３）と排気口（４）のパイプを取り付け、吸入パイプ（３）は撹拌ボックス（６）の中に入れる。撹拌ボックスには、水の分離フィルター（７）を取り付ける。
【実施形態の効果】
【０００７】  この実施形態によれば、粉麈が撹拌ボックス（６）の中で水（５）と混ざり合わされ排気口（４）からはクリーンな空気が排出される。
【図面の簡単な説明】
【０００８】
【図１】この発明の一実施形態を示す上部平面図である。
【図２】本発明の使用状態を示す断面図である。
【符号の説明】
【０００９】      １  除塵装置本体          ２  蓋
３  長いパイプ            ４  短いパイプ
５  水                    ６  撹拌ボックス
７  分離フィルター
【図１】
2005334611.tif 000003
【図２】
2005334611.tif 000004
(57)【要約】【課題】  ランドセルの背負い用ベルトの胸あたりに、防犯ベルを取り付けるためのバックルを提供する。【解決手段】  通学用ランドセルなどの背負い用ベルトを通せる幅、厚みを有し、背負い用ベルトの任意の場所で固定、または解除することのできるバックルに、防犯ベルを取り付けられるようフックを装備したことを特徴とする、バックル。【選択図】  図１
2005334612.tif 000002
【特許請求の範囲】
【請求項１】
通学用ランドセルなどの背負い用ベルトを通せる幅、厚みを有し、背負い用ベルトの任意の場所で固定、または解除することのできるバックルに、防犯ベルを取り付けられるようフックを装備したことを特徴とする、バックル。
【発明の詳細な説明】
【技術分野】
【０００１】  この発明は、通学時に危険な状態にあった時に、防犯ベルを効果的に使用できるよう、ランドセルの背負い用ベルト部分に防犯ベルを取り付けられるようにするための、バックルに関するものである。
【背景技術】
【０００２】  従来には、ケース状のものに防犯ベルを入れ、ランドセルの背負い用ベルトに固定するものがあった。
【特許文献】      １．特願平９−２５２７９５  ２．特開２０００−９６９８９
【発明の開示】
【発明が解決しようとする課題】
【０００３】    それには次のような問題点があった。
（イ）    防犯ベルを収納したケースを背負い用ベルトに固定してしまうため、成長に合わせて背負い用ベルトを伸ばしたときに、適切な位置にならないことがあった。
（ロ）    一度固定してしまうと、あとで利き腕にあわせたりと、移動することができなくなった。
（ハ）    ケースの大きさや仕様に、防犯ベルの仕様が合わないと使えなかった。
（ニ）    防犯ベルを首にかけると紐が引っ張られた場合など、首が絞まってしまうことがあり、危険であった。
（ホ）    ランドセルの側面に防犯ベルをつけると、手が届かず、いざというときに鳴らすことができない。
（ヘ）    ランドセルの側面に防犯ベルをつけると、間違えて鳴らしてしまった場合にも、音を止めるのが難しかった。
【課題を解決するための手段】
【０００４】  通学用ランドセルなどの背負い用ベルトを通せる幅、厚みを有し、背負い用ベルトの任意の場所で固定、または解除することのできるバックルに、防犯ベル等を取り付けられるようフックを装備したことを特徴とする、バックル。
【発明の効果】
【０００５】  ランドセルを背負った状態の時に、背負い用ベルトの胸の横あたりに防犯ベルを設置できると、危険な時にでもすぐに手が届くので、防犯ベルを鳴らすことが出来る。また、間違えて鳴らしてしまった場合にも、すぐに対処できる位置である。防犯ベルを変えた場合にも、背負い用ベルトにつける位置を変えることによって、適切な位置に取り付けることができる。成長に合わせて、背負い用ベルトの長さを変えた場合にも、合わせて位置を変えることが出来る。背負いベルトに通して固定するので、万が一バックルのストッパーが外れてしまった場合でも、背負い用ベルトから滑落せず、防犯ベルの紛失や破損を防ぐ。
【発明の実施するための最良の形態】
【０００６】  以下、本発明の実施の形態について説明をする。
（イ）  ランドセルの背負い用ベルト（９）の幅を有した背板（２）の左右に側板（３）を設け、その両側板（３）に上部手前から下部背板方面に向かい、溝（５）を設ける。左右側板（３）をわたし、溝（５）をガイドに可動する棒状のストッパー（６）を設けた、バックル（１）を形成する。
（ロ）  前記バックル（１）の左右側板（３）をわたすように前板（４）を設け、その中央にフック（７）を設ける。
本発明は以上のような構成でこれを使用するときには、ランドセル（８）の長さ調整用バックル（１１）を外し、そこから背負い用ベルト（９）に通し、任意の場所でストッパー（６）を下に引くようにすると、背負い用ベルト（９）の厚みに合わせて止まる。そしてフック（７）に防犯ベル（１０）を取り付ける。子供の体型や防犯ベルの仕様に合わせて、ベルをすばやく鳴らせる位置にバックル（１）を取り付けることができる。また防犯ベルを買い換え、形や長さが変わったときや、成長してランドセルの背負い用ベルトの長さを変えたときにも、痕を残さず簡単に移動することが出来る。
【実施例１】
【０００７】  図５に示すように、前板（１２）を手前に持ち上げて背負い用ベルト（９）に通し、任意の位置で前板（１２）をおろすと、前板（１２）の上部に設けられた歯（１３）が背負い用ベルト（９）に食い込み、固定される方式のバックルなど、バックルの形式にはこだわらない。また防犯ベルを取り付けるためのフックも、上部にバネを有した紐を差し込むだけで取り付けられるタイプのフック（１４）など、その様式にはこだわらない。
【図面の簡単な説明】
【０００８】
【図１】本発明の斜視図
【図２】本発明の使用の状態図
【図３】本発明の使用状態の側面図
【図４】本発明の使用状態の側面図
【図５】本発明の他の実施例を示す斜視図
【図６】本発明の他の実施例を示す側面図
【符号の説明】
【０００９】          １    バックル
２    背板
３    側板
４    前板
５    溝
６    ストッパー
７    フック
８    ランドセル
９    背負い用ベルト
１０  防犯ベル
１１  長さ調整用バックル
１２  前板
１３  歯
１４  フック
【図１】
2005334612.tif 000003
【図２】
2005334612.tif 000004
【図３】
2005334612.tif 000005
【図４】
2005334612.tif 000006
【図５】
2005334612.tif 000007
【図６】
2005334612.tif 000008
(57)【要約】【課題】  寿命が大幅に向上した鋳抜ピンを提供する。  【解決手段】  鋳抜ピンはブッシュ１とインナーピン２からなり、ブッシュ1は大径部１１と小径部１２を有し、内部にはインナーピン２を挿入する貫通穴１３が形成され、更に貫通穴１３の基端部は大径の段部１４となっている。またインナーピン２は中間部を等径の軸部２１とし、この軸部２１に連続する先端部を先細りのテーパ部２２とし、基端部を前記段部１４に係合する大径部２３としている。而して、前記段部１４に大径部２３が係合するようにインナーピン２をブッシュ１に挿入すると、ブッシュ１の先端からテーパ部２２が突出する。【選択図】      図１
2005334961.tif 000002
【特許請求の範囲】
【請求項１】
鋳造用の鋳抜ピンであって、この鋳抜ピンはブッシュとインナーピンとから構成され、ブッシュにインナーピンを挿通した状態で、インナーピンの先部に形成した先細りテーパ部がブッシュ先端から突出することを特徴とする鋳抜ピン。
【請求項２】
請求項１に記載の鋳抜ピンにおいて、前記ブッシュの基端部には段部が形成され、前記インナーピンの基端部には前記段部に嵌り込む大径部が形成され、この大径部が段部に嵌り込んだ状態でインナーピンの先細りテーパ部の基端部と前記ブッシュの先端部とが一致することを特徴とする鋳抜ピン。
【発明の詳細な説明】
【技術分野】
【０００１】
本発明は、鋳造用金型に取り付ける鋳抜ピンに関する。
【背景技術】
【０００２】
一部にボルト穴や位置決め穴を有する鋳造製品を成形する際に、鋳造と同時にボルト穴等の下穴を鋳抜ピンで成形することが行なわれている。
【０００３】
図４は一般的な鋳造を説明した図であり、鋳造金型１０１，１０２を合わせてランナ１０３とキャビティ１０４が形成され、また一方の鋳造金型１０２には鋳抜ピン１０５を差し込んで固定している。この鋳抜ピン１０５は製品に面取り形状部を形成するの大径部１０５ａとキャビティ１０４内に臨む先細りテーパ部１０５ｂとからなる。
【０００４】
上記の鋳抜ピンの材料としては鋼材（ＪＩＳ  ＳＫＤ６１）が一般的であり、この鋼材表面にタフロイドなどの窒化処理或いはＣＶＤやＰＶＤによってＴｉＣやＴｉＮ等のセラミックコーティングを施している。
【０００５】
また、特許文献１には上記の表面処理よりもカジリや腐食などが生じにくい表面処理を施した鋳抜ピンとして、鉄鋼材からなる心材の表面にＮｉ基サーメット層を形成した提案がなされている。
【０００６】
【特許文献１】特開２００２−６９５６１号公報
【発明の開示】
【発明が解決しようとする課題】
【０００７】
特許文献１に提案されている鋳抜ピンを含め、従来の鋳抜ピンは大径部１０５ａと先細りテーパ部１０５ｂとが一体化している。
一方、鋳抜ピンには常に大きな力が作用している。具体的には、溶湯（アルミニウム）からの伝熱による膨張、溶湯が凝固する際の圧縮力、スプレーやエアブローによる急冷、膨張や圧縮が部分的に起こることによって生じる応力差、更には離型時の引っ張り応力などが鋳抜ピンに繰り返し作用する。
【０００８】
従来構造の鋳抜ピンであると、上記の繰り返し応力は、大径部１０５ａと先細りテーパ部１０５ｂとの境界部に集中的に作用する。このため、ランナー付近の熱膨張の大きい箇所では、通常の段付鋳抜ピンの寿命は約１５００ショットとなっている。
【課題を解決するための手段】
【０００９】
本発明は鋳抜ピンに作用する応力が１箇所に集中しないようにして長寿命化を図っており、そのために本発明は、鋳抜ピンをブッシュとインナーピンとから構成し、ブッシュにインナーピンを挿通した状態で、インナーピンの先部に形成した先細りテーパ部がブッシュ先端から突出するようにした。尚、ブッシュとインナーピンとを挿抜可能とするには、これらの間に隙間が形成されることが必要であるが、当該隙間は溶湯の差込みが生じない範囲とする必要がある。
【００１０】
また、曲げ応力と熱応力をできるだけ広い範囲に分散せしめるには、前記先細りテーパ部の基端部と前記ブッシュの先端部とを一致せしめることが好ましい。このためには、前記ブッシュの基端部に段部を形成し、前記インナーピンの基端部に前記段部に嵌り込む大径部を形成し、この大径部が段部に嵌り込んだ状態で先細りテーパ部の基端部とブッシュの先端部とが一致するようにすればよい。
【発明の効果】
【００１１】
本発明に係る鋳抜ピンは、ブッシュとインナーピンとからなる二重構造であるので、応力が分散されクラックなどが発生しにくい。したがって、従来の鋳抜ピンの寿命が約１５００ショットであるのに対し、本発明に係る鋳抜ピンの寿命は２４０００ショット以上となり、寿命は１６倍以上となっている。
【発明を実施するための最良の形態】
【００１２】
以下に本発明の実施例を添付図面に基づいて説明する。図１は本発明に係る鋳抜ピンの使用状態を示す要部拡大図、図２は同鋳抜ピンを構成するブッシュの全体図、図３は同鋳抜ピンを構成するインナーピンの全体図である。
【００１３】
鋳抜ピンはブッシュ１とインナーピン２からなる。ブッシュ１の材料はＪＩＳ  ＳＫＤ６１を用い、大径部１１と小径部１２を有し、内部にはインナーピン２を挿入する貫通穴１３が形成され、更に貫通穴１３の基端部は大径の段部１４となっている。
【００１４】
インナーピン２の材料はＳＫＤ６１ベース鋼を用いて耐磨耗性と高温強度の向上を図り、表面にはＣＶＤによってセラミックコーティング（ＴｉＣまたはＴｉＮ）を施している。その結果、インナーピン２の内部硬度はＨＲＣ４４、表面硬度はＨＶ２０００となっている。
【００１５】
また、インナーピン２は中間部を等径の軸部２１とし、この軸部２１に連続する先端部を先細りのテーパ部２２とし、基端部を前記段部１４に係合する大径部２３としている。而して、前記段部１４に大径部２３が係合するようにインナーピン２をブッシュ１に挿入すると、ブッシュ１の先端からテーパ部２２が突出し、この状態でテーパ部２２の基端部とブッシュ１の先端とが一致する。
【００１６】
更に図示例では、インナーピン２に冷却媒体が供給される内孔２４を形成しているが、中実のインナーピンであってもよい。
【産業上の利用可能性】
【００１７】
本発明に係るインナーピンは、鋳造する金型に取り付けて使用する際に、破損し難いいため交換の頻度が少なくなり、ピン交換のための金型停止時間が短縮されるので、エンジンブロックなどを連続して鋳造するラインに有効に利用することができる。
【図面の簡単な説明】
【００１８】
【図１】本発明に係る鋳抜ピンの使用状態を示す要部拡大図
【図２】同鋳抜ピンを構成するブッシュの全体図
【図３】同鋳抜ピンを構成するインナーピンの全体図
【図４】従来の鋳抜ピンの使用状態を示す要部拡大図
【符号の説明】
【００１９】
１…ブッシュ、１１…大径部、１２…小径部、１３…貫通孔、１４…段部、２…インナーピン、２１…軸部、２２…先細りのテーパ部、２３…大径部、２４…内孔。
【図１】
2005334961.tif 000003
【図２】
2005334961.tif 000004
【図３】
2005334961.tif 000005
【図４】
2005334961.tif 000006
(57)【要約】      （修正有）【課題】左利きの人が右利き用はさみを用いてはさみの開閉操作を行っても支障を来たすことなく円滑に切断作業を続けるための補助具を提供すること。【解決手段】左手の親指Ａと薬指Ｂの各々の太さに適合する筒状体からなる本体に前記筒状態本体の一方の端縁に、はさみの環状部Ｃ、Ｄが引っかかる突出部を、他方の端縁には突出部２ａ、又は筒状態本体の一部からつば形状部３を形成したこと。【選択図】図７
2005334350.tif 000002
【特許請求の範囲】
【請求項１】
左手の親指と薬指の各々の太さに適合する筒状体からなる本体に、前記筒状体本体の一方の端縁に、はさみの環状部が引っかかる突出部を、他方の端縁には突出部、又は筒状体本体の一部からつば形状部を形成した、右利き用はさみを使用する際に用いる左手指用開閉補助具。
【発明の詳細な説明】
【技術分野】
【０００１】
左利きの人が右利き用のはさみを使用する場合、左利きの人は右手指とは逆の指使いをしなければならず、右利き用のはさみで開閉操作を行うには不利な指使いになる。本発明は前記のような時に左手特有の指使いでも何等支障なく右利き用はさみを円滑に開閉操作できる、左手の親指，薬指に用いる補助具に関するものである。
【背景技術】
【０００２】
従来、特に理容，美容のように長時間はさみを使用する作業の際、左利きの人は左利き用のはさみを使用するのが作業上は好ましいが、左利き用のはさみは右利き用はさみに比べ、種類も少なく高価になってしまうため、右利き用はさみを用いることが多くなる。その場合に左利き用はさみと同様の指使いを行うと両刃の間に隙間が生じ、うまく切断作業ができないため親指と薬指で両刃を接しさせるような指使いを行うことになり、両指に負担がかかり痛みが生じて長時間の作業を行うには支障を来すこととなる。使用に際しては不都合な点が出てくる。
【発明の開示】
【発明が解決しようとする課題】
【０００３】
本発明の課題は、左利きの人が右利き用はさみを用いてはさみの開閉操作を行っても支障を来すことなく円滑に切断作業を続けるための補助具を提供することにある。
【課題を解決するための手段】
【０００４】
左手の親指と薬指の各々の太さに適合する筒状体からなる本体に、前記筒状体本体の一方の端縁に、はさみの環状部が引っかかる突出部を、他方の端縁には突出部、又は筒状体本体の一部からつば形状部を形成したことにある。
【発明の効果】
【０００５】
本発明の補助具を左手親指及び薬指に装着して、右利き用はさみの刃の開閉操作を行えば補助具により左手を使っているにも拘らず楽に開閉操作が行え、刃部間に隙間が生じることもなく、左利きによる特有の指使いで生じる環状部による指への痛みや、刃部への過度の加圧等の欠点をなくし、右利き用はさみを円滑に使用できる効果がある。
【発明を実施するための最良の形態】
【０００６】
図１乃至図３において、１は親指用補助具で、本体１ａは筒状の形状を成し指先側の端縁に隆起部２を形成し、隆起部２の一部に突出部２ａを設け、反対側端縁に親指Ａの表面を覆うためのカバー部３をつば状に本体１ａの一部より張り出すように形成する。
【０００７】
図４乃至図６において、４は薬指用補助具で、本体４ａの両端縁に隆起部５を形成し、隆起部５の一部を更に隆起させた突出部５ａ，５ｂを形成する。
【０００８】
突出部５ａを設けた本体４ａの側部は突出部５ｂを設けた本体４ａの側部よりも広く、カバー部６を形成している。
【０００９】
尚、図９，図１０は、補助具の内周面及び外周面に軟質な合成樹脂、又はゴム等ですべり止め加工や任意の厚みによって内周の寸法を調整する被覆層７を施した状態を示した断面図である。
【００１０】
図７，図８を参照して親指及び薬指用補助具の使用状態を説明する。
【００１１】
本発明の親指用補助具１を親指Ａに装着し、はさみの環状部Ｃに通し突出部２ａとカバー部３が環状部Ｃと接するようにする。
【００１２】
薬指用補助具４は薬指に装着し、はさみの環状部Ｄを通し突出部５ａ，５ｂが環状部Ｄと接するようにする。
【００１３】
従来は親指Ａを矢印Ｐ１ 方向に曲げ、薬指は矢印Ｐ４ 方向に開くようにして環状部へ強く力を加える指使いをしていたため、指には負担がかかっていた。親指用補助具１と薬指用補助具４を装着すれば、突出部２ａにより環状部Ｃを押し易い状態となり、少しの力を加えるだけで環状部Ｃが矢印Ｐ２ 方向に押されて刃部Ｅが矢印Ｐ３ 方向に傾き、同様に突出部５ａにより環状部Ｄが矢印Ｐ５ 方向に押されて刃部Ｆは矢印Ｐ６ 方向に傾く、よって刃部間に隙間が生じることもなく刃部Ｅと刃部Ｆが接することとなり、右手ではさみの開閉操作をする場合と同等の切断作業が行い易くなる。
【００１４】
両指は環状部を強く押す必要がないので、両刃部の接点に負荷のかかる押切りも軽減される。また、矢印Ｐ１ ，Ｐ４ 方向に強い力を加えて作業しなければならない状況が生じても、各補助具のカバー部３，６により手指は保護され、手指への負担をなくすことができる。
【図面の簡単な説明】
【００１５】
【図１】親指用補助具の平面図。
【図２】親指用補助具の側面図。
【図３】図１のＸ−Ｘ断面図。
【図４】薬指用補助具の平面図。
【図５】薬指用補助具の側面図。
【図６】図４のＹ−Ｙ断面図。
【図７】補助具が環状部に嵌め込まれた状態図。
【図８】補助具を装着して右利き用はさみを使用した状態図。
【図９】親指用補助具に被覆を施した状態の断面図。
【図１０】薬指用補助具に被覆を施した状態の断面図。
【符号の説明】
【００１６】
１          親指用補助具
１ａ        親指用補助具の本体
２          隆起部
２ａ        突出部
３          カバー部
４          薬指用補助具
４ａ        薬指用補助具の本体
５          隆起部
５ａ，５ｂ  突出部
６          カバー部
７          被覆層
Ａ          親指
Ｂ          薬指
Ｃ，Ｄ      環状部
Ｅ，Ｆ      刃部
【図１】
2005334350.tif 000003
【図２】
2005334350.tif 000004
【図３】
2005334350.tif 000005
【図４】
2005334350.tif 000006
【図５】
2005334350.tif 000007
【図６】
2005334350.tif 000008
【図７】
2005334350.tif 000009
【図８】
2005334350.tif 000010
【図９】
2005334350.tif 000011
【図１０】
2005334350.tif 000012
(57)【要約】【課題】  下着の股下部に本体を固定して吸収性物品を使用する場合に、その着用時に身体の動きにより吸収性物品の端がめくれたり折れたりするのを防止することを目的とする。【解決手段】  表面材と防漏材と吸収体コアを主要構成とする生理用ナプキン、パンティライナー、尿取りパッドなどの吸収性物品において、該防漏材の外面周縁部に粘着材を備えていることを特徴とする吸収性物品。【選択図】  図１
2005334348.tif 000002
【特許請求の範囲】
【請求項１】
表面材と防漏材と吸収体コアを主要構成とする生理用ナプキン、パンティライナー、尿取りパッドなどの吸収性物品において、該防漏材の外面周縁部に粘着材を備えていることを特徴とする吸収性物品。
【請求項２】
粘着材は吸収性物品の本体を下着の股下部に固定するに十分な位置および面積範囲で防漏材の外面周縁部に設けられている請求項１記載の吸収性物品。
【請求項３】
粘着材は周縁部の全周、四隅周辺部あるいは所定間隔をあけて配置されている請求項１または２記載の吸収性物品。
【請求項４】
粘着材の配置がベタ状あるいはドット状または直線、曲線の組合わせである請求項１から３までのいずれか１項記載の吸収性物品。
【請求項５】
通気性の防漏シートを使用する請求項１から４までのいずれか１項記載の吸収性物品。
【請求項６】
下着の股下部に本体を固定して使用する吸収性物品の端が着用時にめくれたり折れたりすることを防止する請求項１から５までのいずれか１項記載の吸収性物品。
【発明の詳細な説明】
【技術分野】
【０００１】
本発明は下着の股下部に本体を固定して使用する吸収性物品に関する。
【背景技術】
【０００２】
生理用ナプキンやパンティライナー及び尿取りパッドなどにおいては、下着の股下部に本体を固定するために、粘着材が下着当接面である裏面に短冊状や幅広に配置されている。しかし、これらは着用時に身体の動きにより吸収性物品の端がめくれたり折れたりすることがあった。ナプキンの端がめくれたり、折れたりすると充分な吸収性能が発揮できないばかりでなく着用感も悪くなる。特に近年の薄型品についてはこの傾向が高く改善が望まれていた。
【０００３】
【特許文献１】特開昭５７−１１７８５４号公報
【特許文献２】特開昭５７−１１７８５５号公報
【特許文献３】特開平０６−３３９４９８号公報
【発明の開示】
【発明が解決しようとする課題】
【０００４】
解決しようとする問題点は下着の股下部に本体を固定して吸収性物品を使用する場合に、その着用時に身体の動きにより吸収性物品の端がめくれたり折れたりするのを防止することを目的とする。
【課題を解決するための手段】
【０００５】
本発明は表面材と防漏材と吸収体コアを主要構成とする生理用ナプキン、パンティライナー、尿取りパッドなどの吸収性物品において、該防漏材の外面周縁部に粘着材を備えていることを特徴とする吸収性物品に係わる。
【０００６】
また本発明は上記において粘着材は吸収性物品の本体を下着の股下部に固定するに十分な位置および面積範囲で防漏材の外面周縁部に設けられているものに係わる。
【０００７】
また本発明は上記において粘着材は周縁部の全周、四隅周辺部あるいは所定間隔をあけて配置されているものに係わる。
【０００８】
また本発明は上記において粘着材の配置がベタ状あるいはドット状または直線、曲線の組合わせであるものに係わる。
【０００９】
また本発明は上記において通気性の防漏シートを使用するものに係わる。
【００１０】
また本発明は上記において下着の股下部に本体を固定して使用する吸収性物品の端が着用時にめくれたり折れたりすることを防止するものに係わる。
【発明の効果】
【００１１】
本発明の効果を要約して列記すれば次の通りである。
（１）従来に比べて、ズレやまくれが発生しにくい。
（２）周縁部が表面材と防漏材のヒートシールで結合されている場合には、この部分が硬化して肌を刺激することがあり、まくれを抑えることでこれを防止することができる。
（３）通気性の防漏シートを使用する場合には、通気性を阻害しにくい。
【発明を実施するための最良の形態】
【００１２】
以下に本発明をパンティライナーに係わる実施例について図面を用いて説明するが、本発明はこれのみに制約されるものではない。
【実施例１】
【００１３】
図１はパンティライナーの防漏材（防漏シート）（１）の外面の全外周に粘着材（ａ１）を備えた例を示す。
パンティライナーの構成は図１のＸ−Ｘ断面を示す図２から判るように下着側の防漏材（１）と身体側の表面材（表面シート）（２）との間に吸収体コア（３）を介装した主要構成を有する。粘着材（ａ）はベタ状でもよいが、図３に示すようにドット状（ａ−ｄ）の組合わせあるいは図４に示すように曲線（および／または直線）（ａ−ｃ／ｓ）の組合わせでもよい。
【実施例２】
【００１４】
図５に示す例では防漏材（１）の長手方向の前後両端縁全長（両角部を含む）に亘り粘着材（ａ２）（ａ２）を備えている。
【実施例３】
【００１５】
図６に示す例では防漏材（１）の長手方向に沿った左右両端全長（両角部を含む）に亘り粘着材（ａ３）（ａ３）を備えている。
【実施例４】
【００１６】
図７に示す例では防漏材（１）の四隅部に粘着材（ａ４）（ａ４）（ａ４）（ａ４）を備えている。
【実施例５】
【００１７】
図８に示す例は平面ひょうたん形状のパンティライナーで、防漏シート（１）の外周に所定間隔で断続的に粘着材を備えており、長手方向の中央凹み湾曲部の左右外縁に防漏材（ａ５）（ａ５）を配置しかつ長手方向前後の円形の両端縁に夫々対称的に防漏材（ａ５）（ａ５）（ａ５）を配置している。
【実施例６】
【００１８】
図９は下着の外側に折り返して固定する、いわゆるウィング部（４）を長手方向の左右中央部に備えた例で、ウィング部（４）の先端部を除く防漏材（１）の全外周に粘着材（ａ６）が配置されている。
【図面の簡単な説明】
【００１９】
【図１】実施例１製品の防漏シート側からみた平面図
【図２】図１のＸ−Ｘ断面図
【図３】粘着材のドット状の組合わせを示す説明図
【図４】粘着材の曲線の組合わせを示す説明図
【図５】実施例２製品の同様の平面図
【図６】実施例３製品の同様の平面図
【図７】実施例４製品の同様の平面図
【図８】実施例５製品の同様の平面図
【図９】実施例６製品の同様の平面図
【符号の説明】
【００２０】
１…防漏材
２…表面材
３…吸収体コア
４…ウィング部
ａ１〜ａ６…粘着材
ａ−ｄ…ドット状の組合わせよりなる粘着材
ａ−ｃ／ｓ…曲線状および／または直線状の組合わせからなる粘着材
【図１】
2005334348.tif 000003
【図２】
2005334348.tif 000004
【図３】
2005334348.tif 000005
【図４】
2005334348.tif 000006
【図５】
2005334348.tif 000007
【図６】
2005334348.tif 000008
【図７】
2005334348.tif 000009
【図８】
2005334348.tif 000010
【図９】
2005334348.tif 000011
(57)【要約】【課題】    壁パネルと床パンのパネル載置片の端部との接合部に水滴が溜まり難いようにするための、浴室カウンターにおける化粧カバーの取付構造を提供する。【解決手段】  浴室カウンターにおける化粧カバーの取付構造において、浴室Ａの床パン１と、床パン１に立設される壁パネル２と、壁パネル２から略水平に設置されるカウンター板３と、カウンター板３の下方に取り付けられカウンター板３下方空間を被覆するとともに下端に壁パネル２と床パン１との接合部を覆う突片８を備える化粧カバー４と、から成る構造とする。【選択図】図１
2005334248.tif 000002
【特許請求の範囲】
【請求項１】
浴室の床パンと、
床パンに立設される壁パネルと、
壁パネルから略水平に設置されるカウンター板と、
カウンター板の下方に取り付けられカウンター板下方空間を被覆するとともに下端に壁パネルと床パンとの接合部を覆う突片を備える化粧カバーと
から成る浴室カウンターにおける化粧カバーの取付構造。
【発明の詳細な説明】
【技術分野】
【０００１】
本発明は、浴室カウンターにおける化粧カバーの取付構造に関する。
【背景技術】
【０００２】
従来の浴室カウンターにおける化粧カバーの取付構造にあっては、例えば特許文献１に開示のようなものが知られている（図３）。このものにあっては、床パン２０に壁パネル１が立設され、その壁パネル１にカウンター板１４が略水平に突設している。そしてカウンター板１４の下方にカバー体７が設けられている。そしてカバー体７の下端が床パン２０のパネル載置片１６の端部に接している。
【０００３】
この構造では、カバー体７の下端が床パン２０のパネル載置片１６の端部に接しているため、このカバー体７の下端へ向かって浴室内の水滴が滴ると、このカバー体７の下端近傍に存する壁パネル１とパネル載置片１６の端部との接合部に水滴が溜まる可能性が有る。この壁パネル１とパネル載置片１６の端部との接合部には、浴室から外部へ水蒸気等が漏れないようにシリコン等でコーキングされていることが多いが、このコーキングの箇所へ水滴が溜まると、カビ等が発生しやすくなる。このコーキングの箇所は、浴室内でも比較的目立ち難い箇所であるため、手入れがされることなく放置される可能性があり、カビが発生しやすい。
【特許文献１】特開２００１−８１９８４号公報
【発明の開示】
【発明が解決しようとする課題】
【０００４】
本願発明は、上記従来の背景技術に鑑みて発明されたものであり、その課題は、壁パネルと、床パンのパネル載置片の端部と、の接合部に、水滴が溜まり難くするための、浴室カウンターにおける化粧カバーの取付構造を提供するものである。
【課題を解決するための手段】
【０００５】
上記課題を解決するために、本願の請求項１記載の発明の浴室カウンターにおける化粧カバーの取付構造は、浴室の床パンと、床パンに立設される壁パネルと、壁パネルから略水平に設置されるカウンター板と、カウンター板の下方に取り付けられカウンター板下方空間を被覆するとともに下端に壁パネルと床パンとの接合部を覆う突片を備える化粧カバーと、から成ることを特徴とする。
【発明の効果】
【０００６】
本願の請求項１記載の発明の浴室カウンターにおける化粧カバーの取付構造は、床パンと壁パネルとの接合部を覆う突片が、カウンター板の下方に設けられるとともにカウンター板下方空間を被覆する化粧カバーの下端に設けられているので、突片により接合部が覆われ、故にこの接合部に水滴が溜まり難くなる。従ってこの接合部にシリコン等でコーキングされていてもこのコーキングの箇所にカビが発生することは抑制される。
【発明を実施するための最良の形態】
【０００７】
本願の第１の実施形態における浴室カウンターにおける化粧カバーの取付構造について、図を用いて説明する（図１、図２）。
【０００８】
浴室Ａの床パン１の端部１ａには壁パネル２が立設されている。そして壁パネル２に略Ｌ字状のカウンター支持金具５がネジ６により固定されている。そしてこのカウンター支持金具５にカウンター板３が載置されている。従ってカウンター板３は壁パネル２に対し略垂直に据付けられ、床パン１の上方に突出している。（このカウンター板３は一般的に浴室Ａの洗い場側Ｂに設けられている。）
そして、このカウンター板３の前端３ａには、カウンター板３の下方の空間を覆うように化粧カバー４が設けられている。この化粧カバー４は、カウンター板３の前端３ａから、壁パネル２と床パン１の端部１ａとの接合部９にかけて、傾斜して設けられている。
【０００９】
この化粧カバー４は、例えばカウンター板３上の設けられる水栓金具１０に繋がる、カウンター板３下方の配管１１を覆い隠す役割をする。そしてこの化粧カバー４の下部は、カウンター支持金具５へネジ７により固定されている。このネジ７を取り外すことにより、化粧カバー４を取り外して配管１１をメンテナンスすることができる。
【００１０】
カウンター板３は、例えば洗面器を載置する役割をする。そして、カウンター板３上に洗面器を置き、そのカウンター板３に向かって入浴者が座るとき、入浴者の足がカウンター板３の下方へ配置するように、カウンター板３の下方に配置する化粧カバー４は、カウンター板３の前端３ａから、カウンター板３の奥側に向かうにつれ、下方に傾斜して設けられている。
【００１１】
一般的に、壁パネルと、床パンとの接合部は、シリコン等のコーキングを施して接合されている。ところで、カウンター板３が設けられた壁パネル２と、床パン１の端部１ａと、の接合部９は、カウンター板３の下方にあるため、その接合部９がカウンター板３により覆い隠された状態となる。そのため、この接合部９の手入れがしにくくなる傾向となり、接合部９のコーキングにカビが発生してもそのまま放置される傾向となる。
【００１２】
そのため、化粧カバー４の下端に、この接合部９を覆い隠すような突片８を設ける。この突片８は少なくともカウンター板３の横幅の長さ分設けられている。この突片８により、接合部９が覆い隠され、従って接合部９に存するコーキングに、浴室内の湯水がかかることが免れる。よってこの接合部９にカビ等が発生することが抑制される。
【図面の簡単な説明】
【００１３】
【図１】本願発明の実施形態である浴室カウンターにおける化粧カバーの取付構造における実施例であって、化粧カバーがカウンター板に取りつけられた状態を示す断面図である。
【図２】本願発明の実施形態である浴室カウンター及び化粧カバーを取りつけた浴室内を示す            斜視図である。
【図３】従来の浴室カウンターにおける化粧カバーの取付構造を示す断面図である。
【符号の説明】
【００１４】
１            床パン
２            壁パネル
３            カウンター板
４            化粧カバー
５            カウンター支持金具
６            ネジ
７            ネジ
８            突片
９            接合部
１０          水栓金具
１１          配管
【図１】
2005334248.tif 000003
【図２】
2005334248.tif 000004
【図３】
2005334248.tif 000005
(57)【要約】【課題】  この発明は、洗濯バサミを、複数個ハンガー本体に取り付けて使用するとき、干してある洗濯物は、バネ本来の勘合力により確実に保持され、また、軽く引っ張るだけで容易に取り外し可能になるようにする。【解決手段】洗濯バサミのバネ部分にＬ形状金具（５）を取り付け、ハンガー本体（８）のＬ形状金具掛け孔（６）に掛ければ、洗濯物を引いても、洗濯バサミは、下がらないのでバネ本来の勘合力で保持される。  Ｌ形状金具（５）をＬ形状金具掛け孔（６）から外して、洗濯物を引っ張ると、保持されている摩擦で洗濯バサミは、下へ引かれる。このとき、紐（２）をコ形状金具（３）に回して吊り下げておけば、一対のこの部分は、図２、矢印の方向に力が働き、洗濯物保持部は開くようになる。  よって、洗濯物（６）を保持する力が弱くなるので、軽い力で引っ張り、取り外せる。【選択図】  図２
2005334580.tif 000002
【特許請求の範囲】
【請求項１】
洗濯バサミの挟み用個片（１）の上部に、紐（２）が滑りやすい金属丸棒のコ形状金具（３）を取り付け、紐（２）を、図１の（３）の丸棒部分に、一巻き回して、ハンガー本体（８）に吊り下げる。
【請求項２】
洗濯バサミのバネ部分（４）に、金属丸棒を折り曲げ加工したＬ形状の金具（５）を取り付ける。
【請求項３】
ハンガー本体（８）に、Ｌ形状金具（５）を掛けるための孔（６）をあける。
【発明の詳細な説明】
【技術分野】
【０００１】  この発明は、洗濯物を干すときに用いる洗濯バサミと、それを吊り下げるハンガー本体に属するものである。
【背景技術】
【０００２】  洗濯物を干すときに用いる洗濯バサミは、図３に示すように、指先で握る一対の挟み用個片（１）と、バネ（４）からなっており、それが挟み用個片の一方を介してハンガー本体に吊り下がっている。【０００３】  通常の洗濯バサミ図３は、バネ（４）の力により一対の挟み用個片の勘合力は強いため破損するくらい、かなり強い力で洗濯物を引っ張るか、若しくは、一対の挟み用個片（１）の手で握る部分を強い力で握らなければ、外れない。
【発明の開示】
【発明が解決しようとする課題】
【０００４】  この課題として、洗濯物を、かるい力で引っ張り、外れるようにする。
【課題を解決するための手段】
【０００５】  洗濯物を干すときは、金具（５）をハンガー本体孔（６）に引っ掛け、洗濯物を引っ張っぱても勘合力が強く、外れにくい。【０００６】  洗濯物を外すときは、金具（５）をハンガー本体孔（６）から外して洗濯物を矢印Ａ方向に引くと吊り下げている紐（２）が一対の挟み用個片の（３）の部分を回して内側（矢印Ｂ）方向に力が掛かり、洗濯バサミが開くようになり、洗濯物を挟む力が弱くなる。かかる事により、洗濯物は、軽い力で引っ張り、外れる。
【発明の効果】
【０００７】  この洗濯バサミを、複数個、ハンガー本体に取り付けて使用するに当たり、干された洗濯物は、引っ張るだけで破損せず、容易に、取り外せる。
【発明を実施するための最良の形態】
【０００８】本発明を、図１  図２に基づいて説明する。【０００９】  図１に於てＬ形状金具５は、バネ４に装着して、その先端をＬ形状金具掛け孔６へ掛けるようにする。【００１０】  図１に示すようにＬ形状金具５がハンガー本体８のＬ形状金具掛け孔６に、掛けてあるとき、一対の挟み用個片１に挟まれている洗濯物７は、外すために引いても、Ｌ形状金具５がバネ４とハンガー本体８との距離を固定しているためバネ４の力により、洗濯物７は、外れにくい。【００１１】  図１に於て、コ形状金具３は、滑りの良い丸棒を加工したもので、紐２が滑りやすく、なっている。【００１２】  Ｌ形状金具５を、Ｌ形状金具掛け孔６から外して、矢印Ａの方向に挟まれている洗濯物７を引くと紐２は一対のコ形状金具３を介して、互いに矢印Ｂの方向に力が働きその距離は、短くなり洗濯物７を挟んでいる一対の挟み用個片は開くように作用する。【００１３】  このようにして、干してある洗濯物７は、Ｌ形状金具５をハンガー本体８のＬ形状金具掛け孔６から外して、引くだけで容易に取り外せる。
【図面の簡単な説明】
【００１４】
【図１】本発明の斜視図
【図２】本発明の使用斜視図
【図３】本発明の他の実施例の斜視図
【符号の説明】
【００１５】１  挟み用個片
２  紐
３  コ形状金具
４  バネ
５  Ｌ形状金具
６  Ｌ形状金具掛け孔
７  洗濯物
８  ハンガー本体
【図１】
2005334580.tif 000003
【図２】
2005334580.tif 000004
【図３】
2005334580.tif 000005